(57)【要約】      （修正有）【課題】洗剤混合タンク内における泡の発生を抑制できる浴槽洗浄装置を提供する。【解決手段】浴槽洗浄装置２００は、洗剤タンク１３と、洗剤タンクから供給される洗剤と、給水源ＷＳから供給される水とを混合して洗剤水を生成する洗剤混合タンク３０と、洗剤水を浴槽１００の内壁面に噴射する洗浄ノズル２５と、洗剤タンクと洗剤混合タンクとを接続する洗剤流路１５と、給水源と洗剤混合タンクとを接続する給水流路２４と、洗剤混合タンクと洗浄ノズルとを接続する洗浄流路２１と、を備える。洗剤混合タンクは、洗剤流路から供給される洗剤及び給水流路から供給される水の少なくとも一方の流速を減速する流速減速手段を備える。【選択図】図１
2020069383.tif 000002
【特許請求の範囲】
【請求項１】
洗剤を貯留する洗剤タンクと、
前記洗剤タンクから供給される洗剤と、給水源から供給される水とを混合して洗剤水を生成する洗剤混合タンクと、
前記洗剤水を浴槽の内壁面に噴射する洗浄ノズルと、
前記洗剤タンクと前記洗剤混合タンクとを接続する洗剤流路と、
前記給水源と前記洗剤混合タンクとを接続する給水流路と、
前記洗剤混合タンクと前記洗浄ノズルとを接続する洗浄流路と、
を備え、
前記洗剤混合タンクは、前記洗剤流路から供給される前記洗剤及び前記給水流路から供給される前記水の少なくとも一方の流速を減速する流速減速手段を備える浴槽洗浄装置。
【請求項２】
前記流速減速手段は、前記洗剤混合タンクの最深部よりも高い位置に設けられた衝突部を備え、
前記衝突部は、前記洗剤混合タンクに供給された水及び洗剤の少なくとも一方が、前記洗剤混合タンクの最深部に到達する前に衝突するように構成されている請求項１記載の浴槽洗浄装置。
【請求項３】
前記衝突部は、前記洗剤混合タンクに供給された水及び洗剤の少なくとも一方が衝突した後、前記洗剤混合タンクの側壁面に衝突するように構成されている請求項２記載の浴槽洗浄装置。
【請求項４】
前記衝突部は、前記洗剤混合タンクの側壁面から離間した位置に設けられ、
前記衝突部に衝突した前記水及び洗剤の少なくとも一方が前記洗剤混合タンクの前記側壁面へと向かう経路に隙間が形成されている請求項２または３に記載の浴槽洗浄装置。
【請求項５】
前記衝突部は、前記洗剤混合タンクの内部における最深部よりも高い位置に設けられた傾斜面を備え、
前記傾斜面は、前記洗剤混合タンクに供給された水及び洗剤の少なくとも一方が落下した後、前記洗剤混合タンクの最深部に向けて流動するように構成されている請求項２記載の浴槽洗浄装置。
【請求項６】
前記衝突部は、鉛直方向に延びる縦壁面を備えた縦壁面部であり、
前記縦壁面部は、前記洗剤混合タンクに供給された水及び洗剤の少なくとも一方が当たった後、前記洗剤混合タンクの最深部に向けて流動するように構成されている請求項２記載の浴槽洗浄装置。
【請求項７】
前記流速減速手段は、前記洗剤混合タンクに供給された水及び洗剤の少なくとも一方の衝突位置が、前記洗剤混合タンクの満水位よりも高い位置となるように構成されている請求項２〜６のいずれか１つに記載の浴槽洗浄装置。
【請求項８】
前記洗剤混合タンクは、前記満水位よりも高い位置に設けられ、前記洗剤混合タンク内の液体の水位が前記満水位よりも高い所定の水位を超えると前記洗剤混合タンク内の液体を外部に排出するオーバーフロー口を備え、
前記流速減速手段は、前記洗剤混合タンクに供給された水及び洗剤の少なくとも一方の衝突位置が、前記オーバーフロー口よりも高い位置となるように構成されている請求項７記載の浴槽洗浄装置。
【請求項９】
さらに、前記洗剤混合タンク内の液体の水位を検知する水位検知手段を備え、
前記衝突部は、前記衝突部に衝突した水及び洗剤の少なくとも一方が直接前記水位検知手段に当たらないように構成されている請求項７または８に記載の浴槽洗浄装置。
【請求項１０】
前記流速減速手段は、前記洗剤混合タンクの底部から上方に延びる柱状部を備え、
前記柱状部は、前記洗剤混合タンクに供給された水及び洗剤の少なくとも一方が、前記洗剤混合タンクの前記底部に到達する前に前記柱状部の上面に衝突するように構成されている請求項１記載の浴槽洗浄装置。
【発明の詳細な説明】
【技術分野】
【０００１】
本発明は、浴槽洗浄装置に関する。
【背景技術】
【０００２】
従来の自動浴槽洗浄は、洗浄力の点から、十分に汚れを落とすためには入浴当日の洗浄が推奨される。このため、いつでも手軽に洗い立ての浴槽に浸かれるような自動浴槽洗浄が求められている。しかし、このようなニーズを実現するためには、翌日の頑固な汚れを落とすための洗浄力の向上が必要である。
【０００３】
また、従来の自動浴槽洗浄技術においては、水道の圧力をそのまま利用する水道直圧が用いられてきた。このため、自動浴槽洗浄技術を普及させるためには、このような水圧の制約を回避する必要がある。
【先行技術文献】
【特許文献】
【０００４】
【特許文献１】特許第５８７４２２０号公報
【特許文献２】特開平４−２６９９３５号公報
【発明の概要】
【発明が解決しようとする課題】
【０００５】
従来、洗剤を水で希釈して洗剤水を生成する洗剤混合部として、ベンチュリ式の洗剤混合部が知られている（例えば、特許文献１）。このベンチュリ式の洗剤混合部では、湯水が洗剤混合部を通過する際に生じる負圧によって洗剤と湯水とを混合して洗剤水を生成している。すなわち、洗剤混合部で混合される洗剤の量は、洗剤混合部を通過する湯水の流速や流量に依存する。このため、洗剤水が所定の濃度となるように調整することは難しく、また通過する湯水の流量の変動により所定の濃度で安定させることは困難である。
【０００６】
これに対して、浴槽洗浄装置において、洗剤を水で希釈した洗剤希釈水を生成するために、タンク式の洗剤混合部（洗剤混合タンク）を設けることが知られている（例えば、特許文献２）。このような浴槽洗浄装置では、洗剤混合タンクを設けることにより、タンク内で洗剤と水とを混合し洗剤水を生成することができるため、洗剤水の濃度調整を容易に行うことができる。
【０００７】
しかしながら、洗剤または水の供給時の水流の勢いによって、洗剤混合タンク内に泡が発生するおそれがある。洗剤混合タンク内に泡が発生すると、洗浄ノズルから噴射される洗剤水が途切れる、噴射される洗剤水の量が減るなどの噴射不良の原因になり得る。このため、浴槽の内壁面に均一に洗剤水を散布することができずに、洗浄ムラが発生してしまうおそれがある。
【０００８】
本発明は上記課題に鑑み、洗剤混合タンク内における泡の発生を抑制できる浴槽洗浄装置を提案することを目的とする。
【課題を解決するための手段】
【０００９】
第１の発明の浴槽洗浄装置は、洗剤を貯留する洗剤タンクと、前記洗剤タンクから供給される洗剤と、給水源から供給される水とを混合して洗剤水を生成する洗剤混合タンクと、前記洗剤水を浴槽の内壁面に噴射する洗浄ノズルと、前記洗剤タンクと前記洗剤混合タンクとを接続する洗剤流路と、前記給水源と前記洗剤混合タンクとを接続する給水流路と、前記洗剤混合タンクと前記洗浄ノズルとを接続する洗浄流路と、を備える。前記洗剤混合タンクは、前記洗剤流路から供給される前記洗剤及び前記給水流路から供給される前記水の少なくとも一方の流速を減速する流速減速手段を備える。
第１の発明によれば、洗剤及び水の少なくとも一方が他方に混合される際の一方の流速を減速させることで、洗剤と水との混合時に巻き込まれる空気の量を少なくできる。よって、洗剤混合タンク内における泡の発生を抑制することができる。この結果、洗浄ノズルから噴射される洗剤水が途切れる、噴射される洗剤水の量が減るなどの噴射不良を抑制することができる。
第２の発明は、第１の発明において、前記流速減速手段は、前記洗剤混合タンクの最深部よりも高い位置に設けられた衝突部を備え、前記衝突部は、前記洗剤混合タンクに供給された水及び洗剤の少なくとも一方が、前記洗剤混合タンクの最深部に到達する前に衝突するように構成されていることを特徴とする。
第２の発明によれば、洗剤混合タンクに供給された水及び洗剤の少なくとも一方は、洗剤混合タンクの最深部に到達する前に、衝突部に衝突する。このため、水と洗剤との混合時の前記一方の流速を減速させることができるとともに、水または洗剤に分散させることができる。これは、泡の発生をより抑制するとともに、洗剤水における洗剤濃度のばらつきを抑制する。
第３の発明は、第２の発明において、前記衝突部は、前記洗剤混合タンクに供給された水及び洗剤の少なくとも一方が衝突した後、前記洗剤混合タンクの側壁面に衝突するように構成されている。
第３の発明によれば、洗剤混合タンクに供給された水及び洗剤の少なくとも一方を、衝突部に加えて、洗剤混合タンクの側壁面にも衝突させ、水及び洗剤の少なくとも一方の流速をより減速させることができるため、泡の発生をより抑制することができる。
第４の発明は、第２または第３の発明において、前記衝突部は、前記洗剤混合タンクの側壁面から離間した位置に設けられ、前記衝突部に衝突した前記水及び洗剤の少なくとも一方が前記洗剤混合タンクの前記側壁面へと向かう経路に隙間が形成されている。
第４の発明によれば、洗剤混合タンクに供給された水及び洗剤の少なくとも一方を衝突部に衝突させて流速を減速させることができるとともに、衝突部に衝突した水及び洗剤の少なくとも一方を、衝突部と洗剤混合タンクの側壁面との間の領域に導き、衝突部と洗剤混合タンクの側壁面との間の隙間を通じて下方へと誘導することができる。そのため、水及び洗剤の少なくとも一方の流速を減速させて泡の発生を抑制しつつ、水及び洗剤の少なくとも一方を分散させて他方に混合させ、洗剤水における洗剤濃度のばらつきを抑制することができる。
第５の発明は、第２の発明において、前記衝突部は、前記洗剤混合タンクの内部における最深部よりも高い位置に設けられた傾斜面を備え、前記傾斜面は、前記洗剤混合タンクに供給された水及び洗剤の少なくとも一方が落下した後、前記洗剤混合タンクの最深部に向けて流動するように構成されていることを特徴とする。
第５の発明によれば、洗剤混合タンクの内部に傾斜面を形成するという簡易な構成により、洗剤混合タンクに供給された水及び洗剤の少なくとも一方を傾斜面に落下させた後、洗剤混合タンクの最深部に向けて流動させ、流速を減速させつつ水を洗剤に分散させることができる。
第６の発明は、第２の発明において、前記衝突部は、鉛直方向に延びる縦壁面を備えた縦壁面部であり、前記縦壁面部は、前記洗剤混合タンクに供給された水及び洗剤の少なくとも一方が当たった後、前記洗剤混合タンクの最深部に向けて流動するように構成されていることを特徴とする。
第６の発明によれば、洗剤混合タンクに供給された水及び洗剤の少なくとも一方は、洗剤混合タンクの最深部に到達する前に縦壁面に衝突してから、最深部に向けて流動する。このため、水と洗剤との混合時の前記一方の流速を減速させることができるとともに、水または洗剤に分散させることができる。これは、泡の発生をより抑制するとともに、洗剤水における洗剤濃度のばらつきを抑制する。
第７の発明は、第２〜第６の発明のいずれか１つにおいて、前記流速減速手段は、前記洗剤混合タンクに供給された水及び洗剤の少なくとも一方の衝突位置が、前記洗剤混合タンクの満水位よりも高い位置となるように構成されていることを特徴とする。
第７の発明によれば、洗剤混合タンク内に水及び洗剤の少なくとも一方を供給する際に、洗剤混合タンク内の水位に関係なく、常に前記一方の流速を減速させることができるため、泡の発生をより抑制することができる。
第８の発明は、第７の発明において、前記洗剤混合タンクは、前記満水位よりも高い位置に設けられ、前記洗剤混合タンク内の液体の水位が前記満水位よりも高い所定の水位を超えると前記洗剤混合タンク内の液体を外部に排出するオーバーフロー口を備え、前記流速減速手段は、前記洗剤混合タンクに供給された水及び洗剤の少なくとも一方の衝突位置が、前記オーバーフロー口よりも高い位置となるように構成されている。
第８の発明によれば、仮に故障などにより満水位よりも高い位置まで水位が上昇したとしても、洗剤混合タンク内に供給される水及び洗剤の少なくとも一方の流速を衝突部で減速させることができる。
第９の発明は、第７または第８の発明において、さらに、前記洗剤混合タンク内の液体の水位を検知する水位検知手段を備え、前記衝突部は、前記衝突部に衝突した水及び洗剤の少なくとも一方が直接前記水位検知手段に当たらないように構成されている。
第９の発明によれば、洗剤混合タンク内の液体の水位に連動した適切な水位検知が行え、水位検知手段の誤検知を防止することができる。この結果、洗剤および水の水位を高精度に検知でき、より高い精度で洗剤水の洗剤濃度を制御できる。
第１０の発明は、第１の発明において、前記流速減速手段は、前記洗剤混合タンクの底部から上方に延びる柱状部を備え、前記柱状部は、前記洗剤混合タンクに供給された水及び洗剤の少なくとも一方が、前記洗剤混合タンクの前記底部に到達する前に前記柱状部の上面に衝突するように構成されている。
第１０の発明によれば、洗剤混合タンクに供給された水及び洗剤の少なくとも一方は、洗剤混合タンクの最深部に到達する前に柱状部の上面に衝突し、流速が減速され、洗剤と水との混合時に巻き込まれる空気の量を少なくできる。この結果、洗剤混合タンク内における泡の発生を抑制することができる。
【発明の効果】
【００１０】
本発明の浴槽洗浄装置によれば、洗剤混合タンク内における泡の発生を抑制できる。
【図面の簡単な説明】
【００１１】
【図１】実施形態の浴槽洗浄装置のシステム図である。
【図２】第１実施形態の洗剤混合タンクの斜視図である。
【図３】第１実施形態の洗剤混合タンクの斜視図である。
【図４】第１実施形態の洗剤混合タンクの蓋を外した状態の斜視図である。
【図５】第１実施形態の洗剤混合タンクの断面図である。
【図６】第１実施形態の洗剤混合タンク内の水の水位変化を模式的に表す断面図である。
【図７】第１実施形態の洗剤混合タンク内の水の水位変化を模式的に表す断面図である。
【図８】第１実施形態の洗剤混合タンク内の洗剤の水位変化を模式的に表す断面図である。
【図９】第１実施形態の洗剤混合タンク内の洗剤水の水位変化を模式的に表す断面図である。
【図１０】第１実施形態の洗剤混合タンク内の洗剤水の水位変化を模式的に表す断面図である。
【図１１】第１実施形態の洗剤混合タンクにおける流速減速手段の他の例の断面図である。
【図１２】第１実施形態の洗剤混合タンクにおける流速減速手段の他の例の断面図である。
【図１３】第２実施形態の洗剤混合タンクの斜視図である。
【図１４】第２実施形態の洗剤混合タンクの断面図である。
【図１５】第２実施形態の洗剤混合タンクの断面図である。
【図１６】第２実施形態の洗剤混合タンクの横断面図である。
【図１７】第２実施形態の洗剤混合タンク内に設けられる板状部材の斜視図である。
【図１８】第２実施形態の洗剤混合タンク内への水の供給を表す断面図である。
【図１９】第２実施形態の洗剤混合タンク内への水の供給を表す断面図である。
【図２０】第２実施形態の洗剤混合タンク内の液体の満水位を表す断面図である。
【図２１】第２実施形態における流速減速手段の他の例の断面図である。
【図２２】図２１に示す洗剤混合タンクの蓋を外した状態の上面図である。
【発明を実施するための形態】
【００１２】
以下、添付図面を参照しながら本発明の実施の形態の１つについて説明する。説明の理解を容易にするため、各図面において同一の構成要素に対しては可能な限り同一の符号を付して、重複する説明は省略する。
【００１３】
図１は、実施形態の浴槽洗浄装置２００のシステム図である。
【００１４】
実施形態の浴槽洗浄装置２００は、洗剤タンク１３と、洗剤混合タンク３０と、洗浄ノズル２５と、制御部２０とを有する。浴槽洗浄装置２００は、浴槽１００に設置される。
【００１５】
洗剤タンク１３は、例えば浴槽１００のリムの上面に設けられた洗剤投入口１１と接続されており、洗剤投入口１１から投入された液体の洗剤を貯留する。洗剤タンク１３内には、例えばフロートスイッチなどの水位検知手段１２が設けられる。
【００１６】
洗剤混合タンク３０は、洗剤タンク１３及び給水源ＷＳの下流に設けられる。洗剤混合タンク３０は、洗剤タンク１３から供給される洗剤と、給水源ＷＳから直接、または間接的（例えば一時的に貯留された後）に供給される水とを混合して洗剤水を生成する。なお、本願明細書において「水」という場合には、冷水のみならず、加熱されたお湯も含むものとする。つまり、給水源ＷＳは、例えば、給湯器であってもよい。洗浄ノズル２５から洗剤水を噴射する際には洗剤混合タンク３０は洗剤水を貯留し、洗浄ノズル２５から水を噴射する際には洗剤混合タンク３０は水を貯留する。
【００１７】
洗剤流路１５が、洗剤タンク１３と洗剤混合タンク３０とを接続している。洗剤流路１５の途中には、例えば、第１の開閉弁１４と、流量調整部１６と、ポンプ１７とが設けられている。
【００１８】
第１の開閉弁１４は、例えば電磁弁であり、制御部２０の制御に基づいて洗剤流路１５を開閉する。流量調整部１６は、例えば、第１の開閉弁１４の下流に設けられる。流量調整部１６は、例えば、オリフィスである。流量調整部１６は、洗剤流路１５を流れる洗剤の流量を調整する。流量調整部１６は、必要に応じて設けられ、省略可能である。
【００１９】
ポンプ１７は、例えば、第１の開閉弁１４及び流量調整部１６の下流に設けられる。第１の開閉弁１４が開かれ、ポンプ１７が駆動されると、洗剤タンク１３内の洗剤が洗剤流路１５を流れて洗剤混合タンク３０内に供給される。
【００２０】
給水流路２４が、給水源ＷＳと洗剤混合タンク３０とを接続している。給水流路２４の途中には、例えば、第２の開閉弁２２と、流量調整部２３とが設けられている。
【００２１】
第２の開閉弁２２は、例えば電磁弁であり、制御部２０の制御に基づいて給水流路２４を開閉する。第２の開閉弁２２は、洗剤混合タンク３０への水の供給を制御する。第２の開閉弁２２を開くことで、水が給水源ＷＳから洗剤混合タンク３０に供給される。第２の開閉弁２２を閉じることで、給水源ＷＳから洗剤混合タンク３０への水の供給が停止される。
【００２２】
流量調整部２３は、例えば、第２の開閉弁２２の下流に設けられる。流量調整部２３は、例えば定流量弁であり、給水流路２４を流れる水の流量を調整する。
【００２３】
浴槽１００の底面１０１には、排水口１０２および洗浄ノズル２５が設けられている。洗浄ノズル２５は、浴槽１００の内壁面に向けて、液体（洗剤水または水）を噴射する。例えば、洗浄ノズル２５は、モータ２６によって水平方向に回転可能となっている。
【００２４】
洗浄流路２１が、洗剤混合タンク３０と洗浄ノズル２５とを接続している。洗浄流路２１の途中には、例えば、ポンプ１８と、逆流防止部１９とが設けられている。
【００２５】
ポンプ１８は、洗剤混合タンク３０の下流に設けられ、洗剤混合タンク３０内の液体（洗剤水または水）を吸い込み、洗浄流路２１に吐出する。洗浄流路２１に吐出された液体は、洗浄ノズル２５から浴槽１００内に噴射される。
【００２６】
逆流防止部１９は、例えばポンプ１８の下流に設けられる。逆流防止部１９は、浴槽１００に貯留された浴槽水や、浴槽１００内に噴射された液体（洗剤水または水）の、洗浄ノズル２５および洗浄流路２１を通じた洗剤混合タンク３０への逆流を阻止する。逆流防止部１９は、例えば、逆止弁または電磁弁である。複数の逆止弁、複数の電磁弁、または逆止弁と電磁弁の組み合わせから逆流防止部１９が構成されてもよい。
【００２７】
制御部２０は、第１の開閉弁１４、第２の開閉弁２２、ポンプ１７、およびポンプ１８と電気的に接続され、それらを制御する。また、制御部２０は、洗剤混合タンク３０内に設けられた後述する水位検知手段６０の検知結果（検知信号）の入力を受ける。この検知結果（検知信号）に基づいて、制御部２０は、第１の開閉弁１４、第２の開閉弁２２、ポンプ１７、およびポンプ１８を制御することができる。制御部２０は、第１の開閉弁１４、第２の開閉弁２２、ポンプ１７、およびポンプ１８を制御することで、洗浄ノズル２５からの液体（洗剤水または水）の噴射と、洗剤混合タンク３０への洗剤及び水の供給を制御する。
【００２８】
次に、第１実施形態の洗剤混合タンク３０について説明する。
【００２９】
図２は、洗剤混合タンク３０の上側から見た斜視図である。
図３は、洗剤混合タンク３０の下側から見た斜視図である。
図４は、洗剤混合タンク３０の蓋を外した状態の斜視図である。
図５は、洗剤混合タンク３０の断面図である。
【００３０】
洗剤混合タンク３０は、ケース３１と蓋３２とを有する。図２および図５に示すように、蓋３２には、洗剤流路１５と接続される洗剤供給部３４と、給水流路２４と接続される給水部３５とが設けられている。ケース３１の底部には、図２および図３に示すように、洗浄流路２１と接続される液体流出部３６が設けられている。
【００３１】
図５に示すように、洗剤混合タンク３０は、第１の空間４０と第２の空間５０とを有する。第１の空間４０は、第２の空間５０の上方に位置する。第１の空間４０は、洗剤供給部３４と第２の空間５０との間、および給水部３５と第２の空間５０との間に位置する。第２の空間５０は、第１の空間４０の下方に位置し、第１の空間４０に連続している。
【００３２】
洗剤混合タンク３０の高さ方向（または深さ方向）をＺ方向とする。Ｚ方向は、洗剤混合タンク３０が設置された状態における鉛直方向に対応する。Ｚ方向に直交し、且つ互いに直交する２方向をＸ方向およびＹ方向とする。
【００３３】
第１の空間４０は、水平な底部４１を有する。第２の空間５０は、底部５２と、側壁５３と、衝突部５１とを有する。第１の空間４０の底部４１と、第２の空間５０の衝突部５１との間には段差が形成され、第２の空間５０の衝突部５１は、側壁５３を介して、第１の空間４０の底部４１と連続している。第２の空間５０の底部５２は、洗剤混合タンク３０の最深部である。洗剤混合タンク３０内に供給された洗剤や水は、最深部である第２の空間５０の底部５２から溜まり始める。洗剤混合タンク３０内に貯留された液体がどのような水位にあっても、その液体の液面から最深部までの深さが最も深い。
【００３４】
後述するように、洗剤混合タンク３０内に供給された洗剤および水は、第２の空間５０の衝突部５１に落下して衝突する。
【００３５】
１対の衝突部５１が第２の空間５０の底部５２をＸ方向に挟んで位置する。それぞれの衝突部５１の上面は、ケース３１のＸ方向の両端から底部５２に向かって下方傾斜した傾斜面となっている。すなわち、衝突部５１の上面（傾斜面）は、第２の空間５０内において底部５２よりも高い位置から底部５２に向かって下方傾斜している。
【００３６】
第１の空間４０の水平断面積の最大値は、第２の空間５０の水平断面積の最大値よりも大きい。第２の空間５０の全体の容積は、第１の空間４０の全体の容積よりも小さい。
【００３７】
液体流出部３６は、第２の空間５０の底部５２に直接通じている。したがって、洗剤混合タンク３０内に供給された液体はすべて第２の空間５０の底部５２を介して洗浄流路２１に流出する。
【００３８】
洗剤混合タンク３０内には、洗剤混合タンク３０内の液体の水位を検知する水位検知手段６０が設けられている。水位検知手段６０は、例えば磁石を内蔵したフロート６２と、ステム６１内に設けられたリードスイッチとの組み合わせにより水位を検知する。洗剤混合タンク３０内の水位の変化に伴ってフロート６２がステム６１に沿って上下動してフロート６２の位置が変化することで、洗剤混合タンク３０内の水位が検知される。
【００３９】
ステム６１は、フロート６２を貫通して、第２の空間５０の底部５２からＺ方向に沿って上方に延びている。ステム６１の上端は蓋３２に支持され、下端は第２の空間５０の底部５２に支持されている。ステム６１の上端部にはストッパ６３が設けられている。ストッパ６３は第１の空間４０に位置する。
【００４０】
フロート６２は、第２の空間５０の底部５２と、第１の空間４０に位置するストッパ６３との間を、ステム６１に沿って上下動することができる。このフロート６２の上下動によって、第２の空間５０のみに貯留された状態の液体の水位、および第２の空間５０を満たしその上の第１の空間４０にも貯留された液体の水位を検知することができる。
【００４１】
ケース３１の側壁にはオーバーフロー流路３３が設けられている。オーバーフロー流路３３は第１の空間４０に通じている。給水部３５は、オーバーフロー流路３３の上端から所定距離（例えば２５ｍｍ）以上離れた上方に位置する。
【００４２】
本実施形態の浴槽洗浄装置２００は、例えば、予備洗浄、本洗浄、すすぎの３つの動作モードを実行可能である。
【００４３】
まず、図６（ａ）〜図７を参照して、予備洗浄について説明する。
【００４４】
図６（ａ）は、空の状態の洗剤混合タンク３０内に水Ｗの給水が開始された状態を表す。第２の開閉弁２２を開くことで、給水源ＷＳから給水流路２４を通じて洗剤混合タンク３０内に水Ｗの給水が開始される。
【００４５】
給水部３５は衝突部５１の真上に位置し、給水部３５の開口は衝突部５１に向けられている。したがって、給水部３５から洗剤混合タンク３０内に供給された水Ｗは、衝突部５１に落下する。
【００４６】
洗剤混合タンク３０内に水Ｗが貯留されていき、その水Ｗの水位の上昇に伴ってフロート６２が上昇する。図６（ｂ）に示すように、予め設定された第１の水位Ｌ１に対応するフロート６２の上端位置（第１位置）が検知されると、第２の開閉弁２２が閉じられ、洗剤混合タンク３０内への給水が一旦停止される。
【００４７】
そして、ポンプ１８が駆動され、洗剤混合タンク３０内に貯留された水Ｗは、液体流出部３６および洗浄流路２１を流れて、洗浄ノズル２５から浴槽１００内に噴射する。浴槽１００の例えば内壁面が、洗浄ノズル２５から噴射する水によって洗浄される（予備洗浄）。この洗浄ノズル２５からの水の噴射に伴って、洗剤混合タンク３０内の水Ｗの水位が第１の水位Ｌ１から低下していく。
【００４８】
この水位低下によりフロート６２の上端位置の検知状態が解除される。この検知解除から、設定秒数経過後に、再び第２の開閉弁２２が開かれ、図７に示すように、洗剤混合タンク３０内への水の供給が再開される。水を洗剤混合タンク３０内へ供給しつつ、洗浄ノズル２５からの水の噴射も続けられる。例えば、洗剤混合タンク３０内への給水量が洗浄ノズル２５からの水の噴射量よりも多くなるように制御されつつ、浴槽１００に対する予備洗浄が続けられる。
【００４９】
そして、第１の水位Ｌ１に対応するフロート６２の上端位置が検知されると、第２の開閉弁２２が閉じられ、洗剤混合タンク３０内への給水が一旦停止される。この後、水位低下によりフロート６２の上端位置の検知状態が解除されると、再び第２の開閉弁２２が開かれ、洗剤混合タンク３０内への水の供給が再開される。このような制御が、所定量の水を浴槽１００内に噴射するまで繰り返される。
【００５０】
所定量の水による予備洗浄が終了し、フロート６２の下端位置が検知されると、その検知から設定秒数経過後にポンプ１８が停止され、洗剤混合タンク３０内を空にする。
【００５１】
この予備洗浄の後、洗剤水を使った本洗浄が実行される。図８（ａ）〜図１０を参照して、本洗浄について説明する。
【００５２】
図８（ａ）は、空の状態の洗剤混合タンク３０内に洗剤Ｃの供給が開始された状態を表す。第１の開閉弁１４を開き、且つポンプ１７を駆動させることで、洗剤タンク１３から洗剤流路１５を通じて洗剤混合タンク３０内に洗剤Ｃの供給が開始される。
【００５３】
洗剤供給部３４は衝突部５１の真上に位置し、洗剤供給部３４の開口は衝突部５１に向けられている。したがって、洗剤供給部３４から洗剤混合タンク３０内に供給された洗剤Ｃは、衝突部５１に落下する。
【００５４】
洗剤混合タンク３０内に洗剤Ｃが貯留されていき、その洗剤Ｃの水位の上昇に伴ってフロート６２が上昇する。洗剤Ｃは、第２の空間５０内のみに貯留し、第１の空間４０には貯留されないようにする。したがって、図８（ｂ）に示すように、予め設定された第２の水位Ｌ２に対応するフロート６２の下端位置（第２位置）が検知されると、第１の開閉弁１４が閉じられ、且つポンプ１７が停止され、洗剤混合タンク３０内への洗剤Ｃの供給が停止される。洗剤Ｃは、第２の空間５０内における所定の水位Ｌ２に貯留される。
【００５５】
この後、第２の開閉弁２２を開くことで、図９（ａ）に示すように、洗剤混合タンク３０内に水Ｗの給水が開始される。洗剤混合タンク３０内で水Ｗと洗剤Ｃとが混合され、図９（ｂ）に示すように、洗剤水ＣＷが生成される。一定量の洗剤Ｃに対して水Ｗの供給が続けられ、洗剤混合タンク３０内における洗剤水ＣＷの水位が上昇していく。
【００５６】
洗剤水ＣＷの水位上昇に伴ってフロート６２が上昇する。そして、第１の水位Ｌ１に対応するフロート６２の上端位置が検知されると、第２の開閉弁２２が閉じられ、洗剤混合タンク３０内への水Ｗの供給が停止される。洗剤混合タンク３０内に、所定量の洗剤水ＣＷが貯留される。
【００５７】
この後、ポンプ１８が駆動され、洗剤混合タンク３０内に貯留された洗剤水ＣＷは、液体流出部３６および洗浄流路２１を流れて、洗浄ノズル２５から浴槽１００内に噴射する。浴槽１００の例えば内壁面が、洗浄ノズル２５から噴射する洗剤水によって洗浄される（本洗浄）。
【００５８】
この洗浄ノズル２５からの洗剤水の噴射に伴って、図１０に示すように、洗剤混合タンク３０内の洗剤水ＣＷの水位が第１の水位Ｌ１から低下していく。本洗浄開始から例えば所定時間後に、一旦洗浄ノズル２５からの洗剤水ＣＷの噴射を停止する。この噴射が停止している間に、浴槽１００の内壁面に洗剤水を広げ、また汚れに洗剤水を浸透させることができる。時間制御ではなく、水位検知手段６０による水位検知によって洗剤水の噴射停止タイミングを決定してもよい。
【００５９】
そして、再び洗浄ノズル２５からの洗剤水の噴射を開始する。そのまま、洗剤混合タンク３０内に残っている洗剤水を使い切ってもよいし、再び噴射を一旦停止して、洗剤水を浴槽１００の内壁面や汚れに浸透させる時間を確保してもよい。第１の水位Ｌ１まで貯留された所定量の洗剤水を、噴射と噴射停止とを複数回繰り返しながら使い切って本洗浄を行うことができる。または、上記所定量の洗剤水を、噴射を一旦停止することなく連続して噴射し続けて使い切ってもよい。
【００６０】
所定量の洗剤水による本洗浄が終了し、フロート６２の下端位置が検知されると、その検知から設定秒数経過後にポンプ１８が停止され、洗剤混合タンク３０内を空にする。
【００６１】
この本洗浄の後、上記予備洗浄と同じ制御により、洗浄ノズル２５から水が浴槽１００内に噴射され、すすぎモードが実行される。このすすぎモードにより、浴槽１００内に噴射された洗剤水が汚れとともに水によって洗い流される。
なお、洗浄ノズル２５から浴槽１００内に噴射された洗剤水を洗剤混合タンク３０内に回収し、その回収した洗剤水を洗浄ノズル２５から浴槽１００内に再噴射するような構成であってもよい。
【００６２】
給水部３５は、下り勾配をもった衝突部５１において洗剤の貯留深さが比較的浅くなる領域（または洗剤が貯留されない領域）である衝突部５１の上部に向けて開口している。したがって、図９（ａ）に示すように、水Ｗは給水部３５から衝突部５１に落下し衝突する。衝突部５１に落下した後、水Ｗは衝突部５１の下り勾配に沿って底部５２に向けて流動する。
【００６３】
したがって、実施形態によれば、水を衝突部５１に落下（衝突）させた後、水面に直接着水するよりも流速を低下させて水を洗剤に混合させることができる。すなわち、衝突部５１は流速減速手段として機能する。水が洗剤に混合される際の水の流速を減速させることで、洗剤と水との混合時に巻き込まれる空気の量を少なくできる。よって、洗剤混合タンク３０内における泡の発生を抑制することができる。この結果、洗浄ノズル２５から噴射される洗剤水が途切れる、噴射される洗剤水の量が減るなどの噴射不良を抑制することができる。
【００６４】
なお、先に水を貯留し、その後に洗剤を供給して、水と洗剤とを混合させる場合においても、洗剤を衝突部５１に落下（衝突）させた後、水面に直接着水するよりも流速を低下させて洗剤を水に混合させることができる。洗剤が水に混合される際の洗剤の流速を減速させることで、洗剤と水との混合時に巻き込まれる空気の量を少なくできる。よって、洗剤混合タンク３０内における泡の発生を抑制することができる。
【００６５】
給水部３５から洗剤混合タンク３０内に供給された水は、洗剤混合タンク３０の最深部である底部５２に到達する前に、底部５２よりも高い位置に設けられた衝突部５１に衝突する。このため、水が洗剤に混合される際の水の流速を減速させることができるとともに、水を洗剤に分散させることができる。これは、泡の発生をより抑制するとともに、洗剤水における洗剤濃度のばらつきを抑制する。
【００６６】
洗剤混合タンク３０の底部の一部に傾斜をもたせて衝突部５１を形成するという簡易な構成により、洗剤混合タンク３０に供給された水を衝突部５１に落下させた後、洗剤混合タンク３０の底部５２に向けて流動させ、流速を減速させつつ水を洗剤に分散させることができる。
【００６７】
図１１（ａ）は、実施形態の洗剤混合タンク３０における流速減速手段の他の例の断面図である。
【００６８】
図１１（ａ）に示す例では、流速減速手段として柱状部７１が洗剤混合タンク３０内に設けられている。柱状部７１は洗剤混合タンク３０の底部５２から上方に延びている。柱状部７１の上面は、給水部３５から離間し、給水部３５の開口の真下に位置する。
【００６９】
給水部３５から洗剤混合タンク３０内に供給された水Ｗは、洗剤混合タンク３０の底部５２に到達する前に、柱状部７１の上面に衝突する。このため、水Ｗが洗剤Ｃに混合される際の水Ｗの流速を減速させることができるとともに、柱状部７１との衝突により広がった水Ｗを洗剤Ｃに分散させることができる。これは、泡の発生をより抑制するとともに、洗剤水における洗剤濃度のばらつきを抑制する。
【００７０】
また、洗剤混合タンク３０に供給された水Ｗの衝突位置（柱状部７１の上面）が、洗剤混合タンク３０の満水位Ｌ１よりも高い位置となるように構成されている。
【００７１】
このような構成は、洗剤混合タンク３０内に水を供給する際に、洗剤混合タンク３０内の水位に関係なく、常に水を柱状部７１に衝突させて流速を減速させることができるため、泡の発生をより抑制することができる。
【００７２】
図１１（ｂ）は、実施形態の洗剤混合タンク３０における流速減速手段のさらに他の例の断面図である。
【００７３】
図１１（ｂ）に示す例では、流速減速手段として縦壁面部７２が洗剤混合タンク３０内に設けられている。縦壁面部７２は、例えば蓋３２から下方に垂下し、鉛直方向に延びる縦壁面７２ａを有する。縦壁面部７２の下端は、洗剤混合タンク３０の底部５２から離間している。給水部３５の開口は、縦壁面部７２の縦壁面７２ａに向けられている。
【００７４】
したがって、水は給水部３５から縦壁面７２ａに向けて供給され、底部５２に到達する前に縦壁面７２ａに衝突してから、底部５２に向けて流動する。このため、水が洗剤に混合される際の水の流速を減速させることができるとともに、水を洗剤に分散させることができる。これは、泡の発生をより抑制するとともに、洗剤水における洗剤濃度のばらつきを抑制する。
【００７５】
また、洗剤混合タンク３０に供給された水Ｗの衝突位置（縦壁面７２ａの上部）が、洗剤混合タンク３０の満水位Ｌ１よりも高い位置となるように構成されている。
【００７６】
このような構成は、洗剤混合タンク３０内に水を供給する際に、洗剤混合タンク３０内の水位に関係なく、常に水を縦壁面７２ａに衝突させて流速を減速させることができるため、泡の発生をより抑制することができる。
【００７７】
なお、洗剤混合タンク３０の側壁を、流速減速手段としての縦壁面として機能させてもよい。すなわち、水を給水部３５から洗剤混合タンク３０の側壁に向けて供給し、底部５２に到達する前に洗剤混合タンク３０の側壁に衝突させてから、底部５２に向けて流動させてもよい。
【００７８】
図１２（ａ）は、実施形態の洗剤混合タンク３０のさらに他の例のＸ方向に沿った断面図である。
図１２（ｂ）は、図１２（ａ）に示す洗剤混合タンク３０のＹ方向に沿った断面図である。
【００７９】
図１２（ａ）および（ｂ）に示す洗剤混合タンク３０においては、第２の空間５０に傾斜面を設けていない。図１２（ａ）および（ｂ）に示す断面視において、第１の空間４０の底部４１から下方に凸状に突出するように第２の空間５０が設けられている。第１の空間４０の底部４１は、第２の空間５０の底部５２との間に段差を形成して、第２の空間５０の底部５２よりも高い位置にある。
【００８０】
すなわち、第１の空間４０の底部４１は、洗剤混合タンク３０の最深部である第２の空間５０の底部５２よりも高い位置に設けられた衝突部として機能する。この衝突部である第１の空間４０の底部４１は傾斜せず、水平に形成されている。洗剤混合タンク３０に供給された水を、その衝突部（第１の空間４０の底部４１）に落下させた後、洗剤混合タンク３０の最深部である底部５２に向けて流動させ、流速を減速させつつ水を洗剤に分散させることができる。
【００８１】
次に、第２実施形態の洗剤混合タンク１３０について説明する。前述した図１に示す浴槽洗浄装置２００において、第１実施形態の洗剤混合タンク３０に代えて、第２実施形態の洗剤混合タンク１３０を適用することができる。
【００８２】
図１３は、第２実施形態の洗剤混合タンク１３０の斜視図である。
【００８３】
洗剤混合タンク１３０の高さ方向（または深さ方向）をＺ方向とする。Ｚ方向は、洗剤混合タンク１３０が設置された状態における鉛直方向に対応する。Ｚ方向に直交し、且つ互いに直交する２方向をＸ方向およびＹ方向とする。
【００８４】
図１４は、洗剤混合タンク１３０のＸＺ面に平行な断面図である。
図１５は、洗剤混合タンク１３０のＹＺ面に平行な断面図である。図１５は、第１の空間１４０と第２の空間１５０とがＺ方向に連続している部分の断面を表す。
図１６は、洗剤混合タンク１３０のＸＹ面に平行な断面図である。図１６は、板状部材１２０よりも上方の部分の断面を表す。
【００８５】
洗剤混合タンク１３０は、ケース１３１と蓋１３２とを有する。蓋１３２には、洗剤流路１５と接続される洗剤供給部１３４と、給水流路２４と接続される給水部１３５が設けられている。ケース１３１の底部には、洗浄流路２１と接続される液体流出部１３６が設けられている。
【００８６】
図１４および図１５に示すように、洗剤混合タンク１３０は、第１の空間１４０と第２の空間１５０とを有する。第２の空間１５０は、第１の空間１４０よりも下方に位置し、第１の空間１４０に連続している。第２の空間１５０の水平断面積の最大値は、第１の空間１４０の水平断面積の最大値よりも小さい。第２の空間１５０の全体の容積は、第１の空間１４０の全体の容積よりも小さい。
【００８７】
第２の空間１５０の底部１５２は、洗剤混合タンク１３０の最深部である。洗剤混合タンク１３０内に供給された洗剤や水は、最深部である第２の空間１５０の底部１５２から溜まり始める。洗剤混合タンク１３０内に貯留された液体（水、洗剤、洗剤水）がどのような水位にあっても、その液体の液面から最深部までの深さが最も深い。
【００８８】
液体流出部１３６は、第２の空間１５０の底部１５２に直接通じている。したがって、洗剤混合タンク１３０内に供給された液体は、第２の空間１５０の底部１５２を介して洗浄流路２１に流出する。
【００８９】
洗剤混合タンク１３０内には、洗剤混合タンク１３０内の液体の水位を検知する水位検知手段１６０が設けられている。水位検知手段１６０は、例えば磁石を内蔵したフロート１６２と、ステム１６１内に設けられたリードスイッチとの組み合わせにより水位を検知することができる。洗剤混合タンク１３０内の液体の水位の変化に伴ってフロート１６２がステム１６１に沿って上下動してフロート１６２の位置が変化することで、洗剤混合タンク１３０内の液体の水位が検知される。
【００９０】
ステム１６１は、フロート１６２を貫通して、第２の空間１５０の底部１５２からＺ方向に沿って上方に延びている。ステム１６１の上端は蓋１３２に支持され、下端は第２の空間１５０の底部１５２に支持されている。ステム１６１にはストッパ１６３が設けられている。ストッパ１６３は第１の空間１４０に位置する。
【００９１】
フロート１６２は、第２の空間１５０とストッパ１６３との間を、ステム１６１に沿って上下動することができる。このフロート１６２の上下動によって、第２の空間１５０のみに貯留された状態の液体の水位、および第２の空間１５０を満たしその上の第１の空間１４０にも貯留された液体の水位を検知することができる。
【００９２】
第１の空間１４０は、第２の空間１５０の直上に位置する第１領域と、その第１領域にＸ方向で隣接する第２領域とを有する。第２領域の底部には、図１４に示すように傾斜面（傾斜底部）１４２が形成されている。傾斜面１４２は、洗剤混合タンク１３０の側壁面１４１ｂの下端から、第２の空間１５０に向かって下り傾斜している。
【００９３】
傾斜面１４２を貫通して第１の空間１４０内をＺ方向にオーバーフロー流路１３３が延在している。オーバーフロー流路１３３の上端には、オーバーフロー口１３３ａが形成されている。オーバーフロー口１３３ａは、第１の空間１４０に通じている。
【００９４】
給水部１３５は、第１の空間１４０に通じる開口を有する。その給水部１３５の開口は、オーバーフロー口１３３ａから所定距離（例えば２５ｍｍ）以上離れた上方に位置する。
【００９５】
第１空間１４０には、板状部材１２０が設けられている。図１６に示すように、板状部材１２０は、上面視において例えば矩形状の外形を有する。板状部材１２０の上面の中央には、流速減速手段として機能する衝突部１２１が設けられている。
【００９６】
板状部材１２０の４つの外縁部のそれぞれは、洗剤混合タンク１３０の４つの側壁面１４１ａ、１４１ｂ、１４１ｃ、１４１ｄに対して、隙間１８０を隔てて対向している。側壁面１４１ａ、１４１ｂ、１４１ｃ、１４１ｄは、第１の空間１４０の周囲を囲む。隙間１８０は、板状部材１２０の外縁部を囲むように全周方向に形成されている。または、隙間１８０は、衝突部１２１の一部と洗剤混合タンク１３０の側壁面の一部との間に形成される構成でもよい。
【００９７】
板状部材１２０は、衝突部１２１から、洗剤混合タンク１３０のそれぞれの側壁面１４１ａ、１４１ｂ、１４１ｃ、１４１ｄに向かって下り傾斜した傾斜面１２２を有する。例えば、板状部材１２０は、衝突部１２１を頂点にした傘状に形成されている。
【００９８】
図１７は、板状部材１２０の下面側を見た斜視図である。
【００９９】
板状部材１２０の下面には、板状部材１２０の長手方向に離間して位置する第１の取付部１２３と第２の取付部１２４が設けられている。また、板状部材１２０において第２の取付部１２４が設けられた側の端部には切り欠き１２５が形成されている。
【０１００】
図１４に示すように、洗剤混合タンク１３０の側壁面１４１ｂに、リブ１４９が設けられている。板状部材１２０の凹形状に設けられた第１の取付部１２３がリブ１４９に係合し、板状部材１２０の一端側の一部がリブ１４９の上端の上に支持される。
【０１０１】
板状部材１２０の他端側においては、水位検知手段１６０のステム１６１が切り欠き１２５を貫通し、第２の取付部１２４に形成されたスリットに、ステム１６１に設けられたストッパ１６３が係合し、第２の取付部１２４はストッパ１６３上に支持される。
【０１０２】
また、ステム１６１に設けられたフランジ部１６４（図１４および図１６に示す）が、板状部材１２０の上方への浮き上がりを防止する。
【０１０３】
図１４および図１５に示すように、板状部材１２０は第１の空間１４０において、オーバーフロー口１３３ａよりも上方の領域に設けられている。衝突部１２１は、洗剤混合タンク１３０の最深部である第２の空間１５０の底部１５２よりも高い位置に設けられている。また、衝突部１２１は、オーバーフロー口１３３ａよりも高い位置に設けられている。
【０１０４】
第２実施形態の洗剤混合タンク１３０を備えた浴槽洗浄装置２００は、第１実施形態と同様に、予備洗浄、本洗浄、すすぎの３つの動作モードを実行可能であり、第１実施形態と同じ動作シーケンスや制御を、第２実施形態にも適用することができる。
【０１０５】
以下に、例えば、本洗浄における、洗剤混合タンク１３０内での洗剤水の生成について説明する。
【０１０６】
洗剤供給部１３４は第２の空間１５０の上方に位置し、洗剤供給部１３４の開口は第１の空間１４０を経て第２の空間１５０に向けられている。また、洗剤供給部１３４の開口の下方には板状部材１２０が広がらず、洗剤供給部１３４から洗剤混合タンク１３０内に供給された洗剤は、板状部材１２０で遮られずに、第１の空間１４０を経て第２の空間１５０に供給される。洗剤は、第２の空間１５０の底部１５２から貯留し始める。
【０１０７】
図１８および図１９は、第２の空間１５０に洗剤Ｃが貯留された状態を表す断面図である。図１８は図１４の断面に対応し、図１９は図１５の断面に対応する。
【０１０８】
第１実施形態と同様、洗剤Ｃは、第２の空間１５０内のみに貯留し、第１の空間１４０には貯留されないようにする。したがって、予め設定された第２の水位Ｌ２に対応するフロート１６２の第２位置が検知されると、洗剤混合タンク１３０内への洗剤Ｃの供給が停止される。洗剤Ｃは、第２の空間１５０内における所定の水位Ｌ２に貯留される。
【０１０９】
次に、給水部１３５から水を洗剤混合タンク１３０内に供給する。
【０１１０】
給水部１３５の開口は、衝突部１２１の真上に位置し、衝突部１２１に向けられている。したがって、給水部１３５から洗剤混合タンク１３０内に供給された水は、衝突部１２１に落下する。
【０１１１】
給水部１３５から洗剤混合タンク１３０内に供給された水は、洗剤混合タンク１３０の最深部である底部１５２に到達する前に、底部１５２よりも高い位置に設けられた衝突部１２１に衝突する。そして、水を衝突部１２１に落下（衝突）させた後、第２の空間１５０に貯留された洗剤Ｃの液面に直接着水するよりも流速を減速させて、水を洗剤Ｃに混合させることができる。
【０１１２】
水が洗剤Ｃに混合される際の水の流速を減速させることで、洗剤Ｃと水との混合時に巻き込まれる空気の量を少なくでき、洗剤混合タンク１３０内における泡の発生を抑制することができる。この結果、洗浄ノズル２５から噴射される洗剤水が途切れる、噴射される洗剤水の量が減るなどの噴射不良を抑制することができる。
【０１１３】
なお、先に水を洗剤混合タンク１３０内に貯留し、その後に洗剤を洗剤混合タンク１３０内に供給して、水と洗剤とを混合させる場合においても、洗剤を衝突部１２１に落下（衝突）させた後、流速を減速させて洗剤を水に混合させることができる。洗剤が水に混合される際の洗剤の流速を減速させることで、洗剤と水との混合時に巻き込まれる空気の量を少なくでき、洗剤混合タンク１３０内における泡の発生を抑制することができる。洗剤と水のどちらも衝突部１２１に衝突させるように構成してもよい。また、洗剤が衝突する衝突部と、水が衝突する衝突部とは異なる構成であってもよい。
【０１１４】
衝突部１２１に落下した後、水は板状部材１２０の傾斜面１２２の下り勾配に沿って、洗剤混合タンク１３０の側壁面１４１ａ、１４１ｂ、１４１ｃ、１４１ｄに向けて流動し、側壁面１４１ａ、１４１ｂ、１４１ｃ、１４１ｄに衝突する。
【０１１５】
側壁面１４１ａ、１４１ｂ、１４１ｃ、１４１ｄに衝突した水は、板状部材１２０と側壁面１４１ａ、１４１ｂ、１４１ｃ、１４１ｄとの間の隙間１８０を通じて板状部材１２０よりも下の領域へと流れる。
【０１１６】
板状部材１２０よりも下の領域において、水は、図１８および図１９において白抜き矢印で表すように、側壁面１４１ａ、１４１ｂ、１４１ｃ、１４１ｄを下方に向かって流れ、第２の空間１５０に貯留された洗剤Ｃに到達する。側壁面１４１ｂ、側壁面１４１ｃの一部（下方に第２の空間１５０がない部分）、および側壁面１４１ｄの一部（下方に第２の空間１５０がない部分）を流れた水は、傾斜面１４２を経て、第２の空間１５０に貯留された洗剤Ｃに到達する。
【０１１７】
洗剤混合タンク１３０内に供給された水を、衝突部１２１に加えて、洗剤混合タンク１３０の側壁面１４１ａ、１４１ｂ、１４１ｃ、１４１ｄにも衝突させ、水の流速をより減速させることができるため、泡の発生をより抑制することができる。
【０１１８】
衝突部１２１は洗剤混合タンク１３０の側壁面１４１ａ、１４１ｂ、１４１ｃ、１４１ｄから離間した位置に設けられ、衝突部１２１に衝突した水が側壁面１４１ａ、１４１ｂ、１４１ｃ、１４１ｄへと向かう経路に隙間１８０が形成されている。
【０１１９】
洗剤混合タンク１３０に供給された水を衝突部１２１に衝突させて流速を減速させることができるとともに、衝突部１２１に衝突した水を、衝突部１２１と側壁面１４１ａ、１４１ｂ、１４１ｃ、１４１ｄとの間の領域に導き、ＸＹ面方向において衝突部１２１からずれた位置にある隙間１８０を通じて下方へと誘導することができる。そのため、水の流速を減速させて泡の発生を抑制しつつ、水を分散させて洗剤Ｃに混合させ、洗剤水における洗剤濃度のばらつきを抑制することができる。また、水を分散させることで、予備洗浄やすすぎの際に洗剤混合タンク１３０内に供給される水によって、側壁面１４１ａ、１４１ｂ、１４１ｃ、１４１ｄや傾斜面１４２をムラ無く洗うことができる。
【０１２０】
実施形態では、板状部材１２０は、洗剤混合タンク１３０の四方（全方位）を囲む側壁面１４１ａ、１４１ｂ、１４１ｃ、１４１ｄのそれぞれに水を誘導するように構成され、全方位に水を分散させてより均一に水を洗剤Ｃに混合させることができる。なお、水を衝突部１２１に衝突させた後、ある特定方向、または２方向、または３方向のみに水を誘導するような構成であってもよい。
【０１２１】
なお、隙間１８０の大きさ、板状部材１２０の傾斜面１２２の傾斜角度、水の流量や勢いによっては、衝突部１２１に衝突した後、水が側壁面１４１ａ、１４１ｂ、１４１ｃ、１４１ｄには衝突しない場合もあり得る。この場合でも、水は分散されつつ隙間１８０を通じて下方の第２の空間１５０に向けて誘導される。
【０１２２】
一定量の洗剤Ｃに対して水の供給が続けられ、洗剤混合タンク１３０内における洗剤水の水位が上昇していく。
【０１２３】
図２０は、洗剤混合タンク１３０内に洗剤水ＣＷが貯留された状態を表す、図１４に対応する断面図である。
【０１２４】
洗剤水ＣＷの水位上昇に伴ってフロート１６２が上昇する。そして、第１の水位Ｌ１に対応するフロート１６２の上端位置（第１位置）が検知されると、洗剤混合タンク１３０内への水の供給が停止される。第１の水位Ｌ１は、洗剤混合タンク１３０内に貯留された液体の満水位に対応する。
【０１２５】
この後、洗剤混合タンク１３０内に貯留された洗剤水ＣＷは、液体流出部１３６および洗浄流路２１を流れて、洗浄ノズル２５から浴槽１００内に噴射する。浴槽１００の例えば内壁面が、洗浄ノズル２５から噴射する洗剤水によって洗浄される。
【０１２６】
衝突部１２１は満水位よりも高い位置に設けられているため、洗剤混合タンク１３０内に水を供給する際に、洗剤混合タンク１３０内の水位に関係なく、常に水を衝突部１２１に衝突させて流速を減速させ、泡の発生を抑制することができる。
【０１２７】
また、オーバーフロー口１３３ａは、満水位よりも高い位置に設けられ、洗剤混合タンク１３０内の液体の水位が満水位よりも高い所定の水位を超えると、洗剤混合タンク１３０内の液体はオーバーフロー流路１３３を流れて、洗剤混合タンク１３０の外部に排出される。
【０１２８】
衝突部１２１はオーバーフロー口１３３ａよりも高い位置に設けられているため、仮に故障などにより満水位よりも高い位置まで水位が上昇したとしても、洗剤混合タンク１３０内に供給される水の流速を衝突部１２１で減速させることができる。オーバーフロー口１３３ａは衝突部１２１よりも下方に設けられ、洗剤混合タンク１３０内の水位が衝突部１２１まで達することがない。
【０１２９】
板状部材１２０は、オーバーフロー口１３３ａを覆うように設けられ、給水部１３５から供給された水は、板状部材１２０で遮られて、オーバーフロー口１３３ａに流入しない。
【０１３０】
また、板状部材１２０は、第２の空間１５０とストッパ１６３との間のフロート１６２が上下動する領域を覆っている。したがって、洗剤混合タンク１３０内に供給され、衝突部１２１に衝突した後の水は、フロート１６２に対して直接落下しない（当たらない）。そのため、フロート１６２は洗剤混合タンク１３０内の水位に連動した適切な動きをすることができ、水位検知手段１６０の誤検知を防止することができる。したがって、洗剤混合タンク１３０内の液体の水位を高精度に検知でき、より高い精度で洗剤水の洗剤濃度を制御できる。なお、衝突部１２１の形状を、例えば、凹面、または、中心よりも外側が高い位置にある曲面または傾斜面とすることにより、衝突部１２１に衝突した後の水をフロート１６２に直接当てないようにしてもよい。
【０１３１】
なお、洗剤混合タンク１３０内に供給された水は、側壁面１４１ａ、１４１ｂ、１４１ｃ、１４１ｄや傾斜面１４２に当たって跳ね返ってから間接的にフロート１６２に当たることはあり得るが、そのような間接的にフロート１６２に当たる液体量はわずかであり、フロート１６２の動きには影響しない。
【０１３２】
図２１は、第２実施形態における流速減速手段の他の例の断面図である。
図２２は、図２１に示す洗剤混合タンク１３０の蓋を外した状態の上面図である。
【０１３３】
図２１および図２２に示す例では、流速減速手段として柱状部１７０が洗剤混合タンク１３０内に設けられている。柱状部１７０は洗剤混合タンク１３０の底部（この例では傾斜面１４２が形成された底部）から上方に延びている。柱状部１７０の上面１７１は、給水部１３５の開口から離間し、給水部１３５の開口の真下に位置する。
【０１３４】
給水部１３５から洗剤混合タンク１３０内に供給された水は、第２の空間１５０の底部１５２に到達する前に、柱状部１７０の上面１７１に衝突する。このため、水が洗剤に混合される際の水の流速を減速させることができ、泡の発生を抑制することができる。
【０１３５】
また、図２１に示すように、柱状部１７０の上面１７１は、凹面、または、中心よりも外側が高い位置にある曲面または傾斜面状に形成され、上面１７１に衝突した水を柱状部１７０からより離れた領域に広げて下方へと落下させることができる。このため、水を分散させて洗剤に混合させることができ、洗剤水における洗剤濃度のばらつきを抑制することができる。場合によっては、柱状部１７０の上面１７１に衝突させた後、水を側壁面１４１ａ、１４１ｂ、１４１ｃ、１４１ｄに衝突させることも可能となる。
【０１３６】
柱状部１７０の上面１７１は、オーバーフロー口１３３ａ、および洗剤混合タンク１３０の満水位よりも高い位置にある。
【０１３７】
また、柱状部１７０の上面１７１の形状（凹面、または、中心よりも外側が高い位置にある曲面または傾斜面）により、洗剤混合タンク１３０内に供給され、柱状部１７０の上面１７１に衝突した後の水（または洗剤）をフロート１６２に対して直接落下させない（当たらない）ことが可能である。
【０１３８】
図２１および図２２に示す柱状部１７０および図１１（ａ）に示す柱状部７１における上面（衝突部）も、洗剤混合タンク３０、１３０の側壁面から離間した位置に設けられ、衝突部に衝突した水及び洗剤の少なくとも一方が洗剤混合タンク３０、１３０の側壁面へと向かう経路に隙間が形成されている。衝突部に衝突した水及び洗剤の少なくとも一方を、衝突部と洗剤混合タンクの側壁面との間の領域に導き、衝突部と洗剤混合タンクの側壁面との間の隙間を通じて下方へと誘導することができる。隙間は、柱状部７１、１７０の周囲の全周方向に形成されている。または、隙間は、衝突部（柱状部７１、１７０の上面）の一部と洗剤混合タンク３０、１３０の側壁面の一部との間に形成される構成でもよい。
【０１３９】
流速減速手段としては、洗剤混合タンク１３０の天面（蓋１３２の裏面）に向けて水を噴出させる構成、すなわち天面自体を衝突部とする構成、または天面に別途衝突部を設ける構成であってもよい。洗剤混合タンク１３０内に供給された水（または洗剤）は、洗剤混合タンク１３０の底部１５２に到達する前に、底部１５２よりも高い位置に設けられた洗剤混合タンク１３０の天面（または天面に設けられた衝突部）に衝突し、洗剤混合タンク１３０内に先に貯留された洗剤（または水）の液面に直接着水するよりも流速を減速させて、水および洗剤の一方を他方に混合させることができる。
【０１４０】
水位検知手段６０、１６０としては、フロートを用いる構成に限らず、例えば、電極間に電圧を印加することで水位を検知する電極式のセンサであってもよい。
【０１４１】
以上、具体例を参照しつつ本発明の実施形態について説明した。しかし、本発明は、それらに限定されるものではなく、本発明の技術的思想に基づいて種々の変形が可能である。
【符号の説明】
【０１４２】
１００…浴槽、２００…浴槽洗浄装置、１３…洗剤タンク、１４…第１の開閉弁、１５…洗剤流路、１９…逆流防止部、２０…制御部、２１…洗浄流路、２２…第２の開閉弁、２４…給水流路、２５…洗浄ノズル、３０,１３０…洗剤混合タンク、４０,１４０…第１の空間、５０,１５０…第２の空間、５１,１２１…衝突部、６０,１６０…水位検知手段、６２…フロート、７１,１７０…柱状部、１３３ａ…オーバーフロー口、ＷＳ…給水源
【図１】
2020069383.tif 000003
【図２】
2020069383.tif 000004
【図３】
2020069383.tif 000005
【図４】
2020069383.tif 000006
【図５】
2020069383.tif 000007
【図６】
2020069383.tif 000008
【図７】
2020069383.tif 000009
【図８】
2020069383.tif 000010
【図９】
2020069383.tif 000011
【図１０】
2020069383.tif 000012
【図１１】
2020069383.tif 000013
【図１２】
2020069383.tif 000014
【図１３】
2020069383.tif 000015
【図１４】
2020069383.tif 000016
【図１５】
2020069383.tif 000017
【図１６】
2020069383.tif 000018
【図１７】
2020069383.tif 000019
【図１８】
2020069383.tif 000020
【図１９】
2020069383.tif 000021
【図２０】
2020069383.tif 000022
【図２１】
2020069383.tif 000023
【図２２】
2020069383.tif 000024